(57)【要約】【課題】利用者への通知情報の提供を向上させる表示処理装置および表示処理方法を提供すること。【解決手段】実施形態に係る表示処理装置は、取得部と、設定部と、変更部とを備える。取得部は、通知情報を取得する。設定部は、通知情報に関する優先度に基づいて複数の表示画面に表示させる通知情報を表示画面毎に設定する。変更部は、設定部で設定された表示画面におけるユーザの操作に基づいて複数の表示画面のうち１つの表示画面の通知情報を変更する場合に、１つの表示画面の通知情報の変更に基づいて他の表示画面に表示させる通知情報を変更する。【選択図】図１
2019139518.tif 000002
【特許請求の範囲】
【請求項１】
通知情報を取得する取得部と、
前記通知情報に関する優先度に基づいて複数の表示画面に表示させる通知情報を表示画面毎に設定する設定部と、
前記設定部で設定された表示画面におけるユーザの操作に基づいて前記複数の表示画面のうち１つの表示画面の通知情報を変更する場合に、前記１つの表示画面の通知情報の変更に基づいて他の表示画面に表示させる通知情報を変更する変更部と
を備えることを特徴とする表示処理装置。
【請求項２】
前記変更部は、
同一の通知情報が表示されている前記複数の表示画面のうち１つの表示画面において、前記ユーザの操作に基づいて前記同一の通知情報を他の通知情報に変更する場合に、前記他の表示画面に表示されている前記同一の通知情報を前記他の通知情報に変更する
ことを特徴とする請求項１に記載の表示処理装置。
【請求項３】
前記変更部は、
前記複数の表示画面のうち１つの表示画面に表示されている通知情報を前記ユーザの操作に基づいて他の通知情報に変更する場合に、前記他の表示画面に表示させる通知情報を、前記他の表示画面に表示されている通知情報と前記他の通知情報とを含む通知情報に変更する
ことを特徴とする請求項１に記載の表示処理装置。
【請求項４】
前記変更部は、
前記他の表示画面において、前記他の表示画面に表示されている通知情報の表示位置と、前記他の通知情報の表示位置とが重ならないように通知情報を変更する
ことを特徴とする請求項３に記載の表示処理装置。
【請求項５】
前記変更部は、
前記複数の表示画面のうち１つの表示画面に表示されている通知情報を前記ユーザの操作に基づいて変更し、前記１つの表示画面に表示されている通知情報の優先度が、前記他の表示画面に表示されている通知情報の優先度よりも高い場合に、前記他の表示画面に表示させる通知情報を、前記１つの表示画面に表示されている通知情報を含む通知情報に変更する
ことを特徴とする請求項１に記載の表示処理装置。
【請求項６】
通知情報を取得する取得工程と、
前記通知情報に関する優先度に基づいて複数の表示画面に表示させる通知情報を表示画面毎に設定する設定工程と、
前記設定工程で設定された表示画面におけるユーザの操作に基づいて前記複数の表示画面のうち１つの表示画面の通知情報を変更する場合に、前記１つの表示画面の通知情報の変更に基づいて他の表示画面に表示させる通知情報を変更する変更工程と
を含むことを特徴とする表示処理方法。
【発明の詳細な説明】
【技術分野】
【０００１】
開示の実施形態は、表示処理装置および表示処理方法に関する。
【背景技術】
【０００２】
従来、優先度に基づいて画面表示させるアイコンを変更する表示処理装置が知られている（例えば、特許文献１参照）。
【先行技術文献】
【特許文献】
【０００３】
【特許文献１】特開２００７−８３９９０号公報
【発明の概要】
【発明が解決しようとする課題】
【０００４】
しかしながら、上記表示処理装置では、優先度に基づいて複数の表示画面に通知情報を表示することは考慮されていない。そのため、通知情報を利用者に提供する点で改善の余地がある。
【０００５】
実施形態の一態様は、上記に鑑みてなされたものであって、利用者への通知情報の提供を向上させる表示処理装置および表示処理方法を提供することを目的とする。
【課題を解決するための手段】
【０００６】
実施形態の一態様に係る表示処理装置は、取得部と、設定部と、変更部とを備える。取得部は、通知情報を取得する。設定部は、通知情報に関する優先度に基づいて複数の表示画面に表示させる通知情報を表示画面毎に設定する。変更部は、設定部で設定された表示画面におけるユーザの操作に基づいて複数の表示画面のうち１つの表示画面の通知情報を変更する場合に、１つの表示画面の通知情報の変更に基づいて他の表示画面に表示させる通知情報を変更する。
【発明の効果】
【０００７】
実施形態の一態様によれば、利用者への通知情報の提供を向上させることができる。
【図面の簡単な説明】
【０００８】
【図１】図１は、実施形態に係る表示処理方法を説明する概略図である。
【図２】図２は、実施形態に係る表示処理装置の概略を説明するブロック図である。
【図３Ａ】図３Ａは、ディスプレイの表示例（変更前）を示す図である。
【図３Ｂ】図３Ｂは、ディスプレイの表示例（変更後）を示す図である。
【図４】図４は、実施形態に係る表示変更制御を説明するフローチャートである。
【図５Ａ】図５Ａは、ディスプレイの表示例（変更前）を示す図である。
【図５Ｂ】図５Ｂは、ディスプレイの表示例（変更後）を示す図である。
【図６Ａ】図６Ａは、ディスプレイの表示例（変更前）を示す図である。
【図６Ｂ】図６Ｂは、ディスプレイの表示例（変更後）を示す図である。
【発明を実施するための形態】
【０００９】
以下、添付図面を参照して、本願の開示する表示処理装置および表示処理方法を説明する。なお、以下に示す実施形態によりこの発明が限定されるものではない。
【００１０】
まず、実施形態に係る表示処理装置によって実行される表示処理方法の概要について図１を参照し説明する。図１は、実施形態に係る表示処理方法を説明する概略図である。
【００１１】
表示処理装置１は、車両Ｃに設けられた表示画面であるセンターディスプレイ１００、ヘッドアップディスプレイ１０１、およびメータディスプレイ１０２に通知情報を表示させる。
【００１２】
センターディスプレイ１００は、車両Ｃの前方中央部に設けられる。ヘッドアップディスプレイ１０１は、車両Ｃのフロントガラス付近に設けられる。メータディスプレイ１０２は、計器類を含むインスツルメンツパネル内に設けられる。なお、表示装置は、車両Ｃの後部座席用のリアディスプレイであってもよい。
【００１３】
通知情報は、車載器３０（図２参照）から出力され、例えば、ヒヤリハットに関する情報や、制限速度などに関する道路情報や、渋滞情報や、音楽の曲名などに関する情報である。
【００１４】
表示処理装置１は、ディスプレイ１００〜１０２に表示させる通知情報を通知情報の優先度に基づいてディスプレイ１００〜１０２毎に設定し、ディスプレイ１００〜１０２に表示させる通知情報を変更する。表示処理装置１は、ディスプレイ１００〜１０２毎に異なる通知情報を表示させてもよく、ディスプレイ１００〜１０２に同一の通知情報を表示させてもよい。すなわち、表示処理装置１は、各通知情報の優先度に応じて、各通知情報をディスプレイ１００〜１０２にどのように表示させるか設定し、各通知情報をディスプレイ１００〜１０２に表示させる。
【００１５】
優先度は、通知情報毎に予め設定されており、複数の通知情報の出力要求があった場合に、ディスプレイ１００〜１０２に表示させる通知情報を決める判定基準となる値である。例えば、ヒヤリハットに関する通知情報には、優先度として「１０」が設定されており、道路情報に関する通知情報には、優先度として「３０」が設定されている。また、渋滞情報に関する通知情報には、優先度として「５０」が設定されており、音楽の曲名に関する通知情報には、優先度として「１００」が設定されている。
【００１６】
優先度は、数値が小さいほど優先度が高く、優先的にディスプレイ１００〜１０２に表示される。例えば、ヘッドアップディスプレイ１０１に対する出力要求として、ヒヤリハットに関する通知情報と、音楽の曲名に関する通知情報との出力要求があった場合には、優先度の数値が小さいヒヤリハットに関する通知情報がヘッドアップディスプレイ１０１に表示される。
【００１７】
表示処理装置１は、優先度に基づいて各ディスプレイ１００〜１０２に通知情報が通知された状態から、ユーザ、例えば、ドライバーの操作に基づいて、ヘッドアップディスプレイ１０１に表示させる通知情報を変更する場合には（Ｓ１）、ヘッドアップディスプレイ１０１における通知情報の変更に基づき、センターディスプレイ１００に表示させる通知情報と、メータディスプレイ１０２に表示させる通知情報とを変更する（Ｓ２）。なお、以下では、ユーザとしてドライバーを一例とするが、これに限られることはない。
【００１８】
すなわち、表示処理装置１は、優先度に基づいて各ディスプレイ１００〜１０２に通知情報が通知された状態から、ドライバーの操作（表示切替操作）が１つのディスプレイに対して行われると、１つのディスプレイの通知情報を優先度に基づいて変更する。表示処理装置１は、優先度が最も高い通知情報を１つのディスプレイに表示させる。
【００１９】
そして、表示処理装置１は、１つのディスプレイに表示させる通知情報の変更に基づいて他のディスプレイに表示させる通知情報を変更する。なお、表示処理装置１は、他のディスプレイにおいても優先度に基づいて通知情報を変更する。
【００２０】
このように、表示処理装置１は、各通知情報の優先度に応じて、ディスプレイ１００〜１０２毎に表示する通知情報を設定する。そして、表示処理装置１は、ドライバーが１つのディスプレイで表示切替操作を行った場合に、１つのディスプレイの通知情報を優先度が最も高い通知情報に変更し、この変更状態に応じて他のディスプレイでも通知情報の調停を行う。
【００２１】
これにより、表示処理装置１は、ドライバーへの通知情報の提供を向上させることができる。
【００２２】
次に、本実施形態に係る表示処理装置１について図２を参照し説明する。図２は、実施形態に係る表示処理装置１の概略を説明するブロック図である。
【００２３】
表示処理装置１は、入力部２と、出力部３と、記憶部４と、制御部５とを備える。
【００２４】
入力部２には、車載器３０から通知情報が入力される。車載器３０は、複数設けられる。車載器３０は、例えば、カーナビゲーション装置や、オーディオ装置や、運転支援装置や、交通情報受信装置である。また、入力部２には、ドライバーの操作に関する信号が入力される。ドライバーの操作は、ディスプレイ１００〜１０２に表示させる通知情報を切り替える表示切替操作であり、現在表示されている通知情報を変更する操作や、現在表示されている通知情報を消去する操作や、他のディスプレイに表示させる操作が含まれる。ドライバーの操作は、例えば、音声や、ボタン操作により行われる。
【００２５】
運転支援装置は、ヒヤリハットに関する通知情報を入力部２に送信する。交通情報受信装置は、制限速度などに関する道路情報や、渋滞情報を受信し、受信した情報を入力部２に送信する。
【００２６】
出力部３は、ヘッドアップディスプレイ１０１、センターディスプレイ１００およびメータディスプレイ１０２に表示させる通知情報に関する信号をヘッドアップディスプレイ１０１、センターディスプレイ１００およびメータディスプレイ１０２にそれぞれ出力する。ディスプレイ１００〜１０２は、通知情報に関する信号に基づいて通知情報を表示する。
【００２７】
記憶部４は、例えばＲＡＭ（Random  Access  Memory）やハードディスクなどの記憶デバイスである。記憶部４は、各種プログラムの情報等を記憶する。
【００２８】
制御部５は、例えば、ＣＰＵ（Central  Processing  Unit）、ＲＯＭ（Read  Only  Memory）、ＲＡＭ、入出力ポートなどを有するマイクロコンピュータや各種の回路を含む。なお、制御部５は、一部または全部がＡＳＩＣ（Application  Specific  Integrated  Circuit）やＦＰＧＡ（Field  Programmable  Gate  Array）等のハードウェアで構成されてもよい。
【００２９】
制御部５は、ＲＯＭに記憶されたプログラム（図示略）をＲＡＭを作業領域として使用して実行することにより機能する複数の処理部を備える。具体的には、制御部５は、取得部１０と、判定部１１と、設定部１２と、変更部１３とを備える。制御部５は、複数の制御部によって構成されてもよく、各処理部は複数の処理部によって構成されてもよく、統合されて構成されてもよい。
【００３０】
取得部１０は、入力部２を介して車載器３０から通知情報を取得する。取得部１０は、入力部２を介してドライバーの操作を取得する。
【００３１】
判定部１１は、通知情報が取得された場合に、通知情報の優先度を判定する。判定部１１は、複数の通知情報がある場合に、各通知情報の優先度を比較し、いずれの優先度が高いかを判定する。判定部１１は、ディスプレイ１００〜１０２毎に、優先度に基づいた判定を行う。
【００３２】
例えば、判定部１１は、新たに通知情報が取得された場合には、現在表示されている通知情報の優先度と、新たに取得された通知情報の優先度とを比較し、いずれの優先度が高いかを判定する。また、判定部１１は、複数の車載器３０から通知情報が同時に取得された場合には、各通知情報の優先度を比較し、いずれの優先度が高いかを判定する。
【００３３】
判定部１１は、ドライバーの操作に基づいてディスプレイ１００〜１０２に表示されている通知情報の変更がユーザにより行われたか否かを判定する。すなわち、判定部１１は、ドライバーの操作に基づいて通知情報の表示変更がされたか否かを判定する。判定部１１は、ディスプレイ１００〜１０２の中から、ドライバーの操作により通知情報を変更するディスプレイを判定する。例えば、判定部１１は、オーディオ装置でドライバーが曲名を変更した場合には、ドライバーの操作によってセンターディスプレイ１００に表示する通知情報を変更すると判定する。
【００３４】
設定部１２は、通知情報の優先度に基づいてディスプレイ１００〜１０２に表示させる通知情報を設定する。設定部１２は、ディスプレイ１００〜１０２毎に表示させる通知情報を設定する。
【００３５】
設定部１２は、新たな通知情報が取得され、新たな通知情報の優先度が、現在表示されている通知情報の優先度よりも高い場合には、ディスプレイ１００〜１０２に表示する通知情報を、新たな通知情報に設定する。
【００３６】
また、設定部１２は、新たな通知情報が取得され、新たな通知情報の優先度が、現在表示されている通知情報の優先度よりも低い場合には、ディスプレイ１００〜１０２に表示する通知情報を、現在表示されている通知情報に設定する。
【００３７】
なお、設定部１２は、新たな通知情報が取得され、新たな通知情報の優先度が、現在表示されている通知情報の優先度よりも低い場合には、現在表示されている通知情報の次に表示する通知情報として設定する。また、設定部１２は、新たな通知情報が取得され、新たな通知情報の優先度が、現在表示されている通知情報の優先度よりも低い場合には、新たな通知情報をキャンセルしてもよい。
【００３８】
このように、設定部１２は、新たな通知情報が取得された場合に、通知情報の優先度に基づいていずれの通知情報を優先して表示させるかを決定し、ディスプレイ１００〜１０２に表示させる通知情報を設定する。すなわち、設定部１２は、通知情報が取得された場合に、通知情報の優先度に基づいてディスプレイ１００〜１０２に表示させる通知情報の調停を行い、優先度が最も高い通知情報をディスプレイ１００〜１０２に表示させる通知情報として設定する。
【００３９】
また、設定部１２は、ドライバーの操作に基づいてディスプレイ１００〜１０２に表示する通知情報を設定する。設定部１２は、ドライバーによる操作が行われた場合には、ディスプレイ１００〜１０２のうちの１つのディスプレイに表示する通知情報を、ドライバーの操作に基づいて設定する。さらに、設定部１２は、１つのディスプレイに表示する通知情報に基づいて、他のディスプレイに表示する通知情報を設定する。設定部１２は、ドライバーの操作に基づいてディスプレイ１００〜１０２に表示させる通知情報を設定する場合にも、優先度に基づいて通知情報を設定（調停）する。
【００４０】
変更部１３は、設定された通知情報に基づいてディスプレイ１００〜１０２の通知情報を変更する。すなわち、変更部１３は、設定部１２による調停結果、およびドライバーの操作に基づいてディスプレイ１００〜１０２の通知情報を変更する。変更部１３は、ドライバーの操作に基づいて１つのディスプレイに表示させる通知情報を変更する場合には、１つのディスプレイにおける通知情報の変更に基づいて他のディスプレイに表示させる通知情報を変更する。
【００４１】
例えば、図３Ａに示すように、センターディスプレイ１００、ヘッドアップディスプレイ１０１、およびメータディスプレイ１０２に、ヒヤリハットに関する通知情報として「１００ｍ先飛び出し注意」が表示されている。図３Ａは、ディスプレイ１００〜１０２の表示例（変更前）を示す図である。この状態で、ドライバーによる操作で、センターディスプレイ１００に対して、ヒヤリハットの通知情報を消す操作が行われた場合には、優先度に基づいてセンターディスプレイ１００に表示する通知情報が設定される。これにより、センターディスプレイ１００には、優先度に基づいて次の通知情報が表示される。例えば、センターディスプレイ１００における次の通知情報は、渋滞情報の通知情報「５ｋｍ先渋滞」である。
【００４２】
この場合、表示処理装置１は、ドライバーの操作に基づいてセンターディスプレイ１００の通知情報を図３Ｂに示すように「１００ｍ先飛び出し注意」から「５ｋｍ先渋滞」に変更する。また、表示処理装置１は、センターディスプレイ１００における通知情報の変更に合わせて、他のディスプレイであるヘッドアップディスプレイ１０１およびメータディスプレイ１０２の通知情報を優先度に基づいて設定する。例えば、表示処理装置１は、図３Ｂに示すように「１００ｍ先飛び出し注意」から「５ｋｍ先渋滞」に変更する。図３Ｂは、ディスプレイ１００〜１０２の表示例（変更後）を示す図である。
【００４３】
なお、センターディスプレイ１００、ヘッドアップディスプレイ１０１、およびメータディスプレイ１０２には、各ディスプレイ１００〜１０２における優先度に基づいて、ディスプレイ１００〜１０２毎に異なる通知情報が表示されてもよい。また、ユーザの操作は、ヘッドアップディスプレイ１０１や、メータディスプレイ１０２に対して行われてもよい。
【００４４】
次に、実施形態に係るドライバーの操作による表示変更制御について図４を参照し説明する。図４は、実施形態に係る表示変更制御を説明するフローチャートである。
【００４５】
表示処理装置１は、ドライバーの操作を取得したか否かを判定する（Ｓ１０）。表示処理装置１は、ドライバーの操作を取得していない場合には（Ｓ１０：Ｎｏ）、今回の処理を終了する。
【００４６】
表示処理装置１は、ドライバーの操作を取得した場合には（Ｓ１０：Ｙｅｓ）、ドライバーの操作に基づいて１つのディスプレイに表示する通知情報を設定する（Ｓ１１）。
【００４７】
表示処理装置１は、１つのディスプレイに表示する通知情報に基づいて、他のディスプレイに表示する通知情報を設定する（Ｓ１２）。
【００４８】
表示処理装置１は、ディスプレイ１００〜１０２に表示する通知情報を変更する（Ｓ１３）。
【００４９】
なお、上記実施形態では、表示装置として、ヘッドアップディスプレイ１０１、メータディスプレイ１０２およびセンターディスプレイ１００を一例として説明したが、表示装置は、一体型のディスプレイを複数の領域に分けて表示させる表示装置であってもよい。
【００５０】
表示処理装置１は、優先度に基づいてディスプレイ１００〜１０２に通知情報が設定され、ドライバーの操作に基づいて１つのディスプレイに表示させる通知情報を変更する場合に、１つのディスプレイに表示させる通知情報の変更に基づいて他のディスプレイに表示させる通知情報を変更する。
【００５１】
これにより、表示処理装置１は、変更された通知情報を他のディスプレイにも表示することができ、変更された通知情報をドライバーに容易に認識させることができ、ドライバーへの通知情報の提供を向上させることができる。
【００５２】
また、表示処理装置１は、同一の通知情報が表示されているディスプレイにおいて、ドライバーの操作に基づいて１つのディスプレイの通知情報を変更する場合に、他のディスプレイに表示されている同一の通知情報を、１つのディスプレイに通知情報の変更に基づいて変更する。
【００５３】
これにより、表示処理装置１は、変更された通知情報をドライバーにさらに容易に認識させることができ、ドライバーへの通知情報の提供を向上させることができる。また、例えば、ドライバーの操作に基づいてセンターディスプレイ１００に表示する通知情報が変更された場合に、ヘッドアップディスプレイ１０１およびメータディスプレイ１０２にも反映させることで、ドライバーは、通知情報の変更を容易に確認することができる。
【００５４】
次に、実施形態の変形例について説明する。変形例に係る表示処理装置１は、ドライバーの操作に基づいて１つのディスプレイに表示する通知情報が変更された場合に、１つのディスプレイに表示する通知情報と、他のディスプレイに現在表示されている通知情報とを含む通知情報を他のディスプレイに表示させる。
【００５５】
例えば、図５Ａに示すように、ヘッドアップディスプレイ１０１に道路情報の通知情報として「制限速度：５０ｋｍ／ｈ」が表示されている。また、メータディスプレイ１０２に渋滞情報の通知情報として「５ｋｍ先渋滞」が表示されている。また、センターディスプレイ１００に音楽の曲名の通知情報として「曲名：○○○」が表示されている。図５Ａは、ディスプレイ１００〜１０２の表示例（変更前）を示す図である。この状態で、ドライバーによる操作で曲が変更され、例えば、曲名が「○○○」から「×××」に変更されたとする。
【００５６】
この場合、変形例に係る表示処理装置１は、ドライバーの操作に基づいてセンターディスプレイ１００の通知情報を、図５Ｂに示すように「曲名：○○○」から「曲名：×××」に変更する。図５Ｂは、ディスプレイ１００〜１０２の表示例（変更後）を示す図である。
【００５７】
また、変形例に係る表示処理装置１は、上記したセンターディスプレイ１００における通知情報の変更に基づいて、他のディスプレイであるヘッドアップディスプレイ１０１の通知情報を、図５Ｂに示すように、「制限速度：５０ｋｍ／ｈ」と「曲名：×××」を含む通知情報に変更する。また、変形例に係る表示処理装置１は、センターディスプレイ１００における通知情報の変更に基づいて、他のディスプレイであるメータディスプレイ１０２の通知情報を、図５Ｂに示すように、「５ｋｍ先渋滞」と「曲名：×××」と含む通知情報に変更する。
【００５８】
なお、変形例に係る表示処理装置１は、ディスプレイ１００〜１０２毎に表示する通知情報の種類を設定している場合であっても、１つのディスプレイに表示する通知情報を、他のディスプレイに表示してもよい。例えば、変形例に係る表示処理装置１は、メータディスプレイ１０２には通常表示していない通知情報が、ドライバーの操作によってセンターディスプレイ１００に表示される場合に、センターディスプレイ１００に表示する通知情報と、メータディスプレイ１０２に表示されている通知情報とを含む通知情報を、メータディスプレイ１０２に表示させてもよい。
【００５９】
変形例に係る表示処理装置１は、他のディスプレイにおいて、現在表示されている通知情報の表示位置と、１つのディスプレイに表示する通知情報との表示位置が重ならないように通知情報を変更する。なお、他のディスプレイに表示される１つのディスプレイに表示する通知情報は、例えば、予め設定された表示時間が経過した後に、消去されてもよい。
【００６０】
これにより、変形例に係る表示処理装置１は、多くの通知情報をドライバーに通知することができる。また、変形例に係る表示処理装置１は、通知情報が重ならないように表示することで、通知情報の視認性を向上させることができる。また、変形例に係る表示処理装置１は、ドライバーの操作に基づいて変更された１つのディスプレイにおける新たな通知情報を、他のディスプレイにも表示させることで、新たな通知情報の視認性を向上させることができる。
【００６１】
また、変形例に係る表示処理装置１は、ドライバーの操作に基づいて１つのディスプレイの通知情報を変更する場合に、１つのディスプレイに表示されている通知情報の優先度と、他のディスプレイに表示されている通知情報の優先度とに基づいて他のディスプレイに表示させる通知情報を設定する。
【００６２】
具体的には、変形例に係る表示処理装置１は、１つのディスプレイに表示されている通知情報の優先度が、他のディスプレイに表示されている通知情報の優先度よりも高い場合には、他のディスプレイに表示させる通知情報を、１つのディスプレイに表示されている通知情報に変更する。
【００６３】
例えば、図６Ａに示すように、ヘッドアップディスプレイ１０１に道路情報の通知情報として「制限速度：５０ｋｍ／ｈ」が表示されている。また、メータディスプレイ１０２に渋滞情報の通知情報として「５ｋｍ先渋滞」が表示されている。また、センターディスプレイ１００に音楽の曲名の通知情報として「曲名：○○○」が表示されている。図６Ａは、ディスプレイ１００〜１０２の表示例（変更前）を示す図である。
【００６４】
この状態で、ヘッドアップディスプレイ１０１への表示を消す操作をドライバーが行った場合には、変形例に係る表示処理装置１は、図６Ｂに示すように、ヘッドアップディスプレイ１０１に表示されている「制限速度：５０ｋｍ／ｈ」を消去する。図６Ｂは、ディスプレイ１００〜１０２の表示例（変更後）を示す図である。なお、ドライバーの操作に基づいてヘッドアップディスプレイ１０１に表示されている通知情報を変更する場合には、ヘッドアップディスプレイ１０１に表示させる通知情報の優先度に基づいて、次の通知情報が表示される。
【００６５】
ヘッドアップディスプレイ１０１に表示されていた道路情報の優先度は、例えば「３０」であり、メータディスプレイ１０２に表示されている渋滞情報の優先度は、例えば、「５０」である。そのため、道路情報に関する通知情報の優先度は、渋滞情報に関する通知情報の優先度よりも高い。
【００６６】
従って、変形例に係る表示処理装置１は、図６Ｂに示すように、メータディスプレイ１０２の通知情報を「５ｋｍ先渋滞」から「制限速度：５０ｋｍ／ｈ」に変更する。
【００６７】
さらに、音楽の曲名に関する通知情報の優先度は、例えば「１００」であり、渋滞情報に関する通知情報の優先度は、音楽の曲名に関する通知情報の優先度よりも高い。
【００６８】
従って、変形例に係る表示処理装置１は、図６Ｂに示すように、センターディスプレイ１００の通知情報を「曲名：○○○」から「５ｋｍ先渋滞」に変更する。なお、変形例に係る表示処理装置１は、メータディスプレイ１０２およびセンターディスプレイ１００の通知情報を「制限速度：５０ｋｍ／ｈ」に変更してもよい。
【００６９】
また、変形例に係る表示処理装置１は、ディスプレイ１００〜１０２間で、表示する通知情報を入れ替えてもよい。例えば、変形例に係る表示処理装置１は、上記一例では、ドライバーの操作に基づいてヘッドアップディスプレイ１０１に、渋滞情報や曲名に関する通知情報を表示してもよい。
【００７０】
また、変形例に係る表示処理装置１は、ドライバーの操作に基づいて１つのディスプレイに表示される通知情報を変更する場合に、１つのディスプレイに表示されている通知情報の優先度が、他のディスプレイに表示されている通知情報の優先度よりも低い場合には、１つのディスプレイに表示されている通知情報を他のディスプレイに表示しなくてもよい。また、変形例に係る表示処理装置１は、１つのディスプレイに表示されている通知情報の優先度が、他のディスプレイに表示されている通知情報の優先度よりも高い場合には、１つのディスプレイに表示されている通知情報と、他のディスプレイに表示されている通知情報とを含む通知情報を、他のディスプレイに表示させてもよい。
【００７１】
これにより、変形例に係る表示処理装置１は、異なる通知情報がディスプレイ１００〜１０２に表示され、ドライバーの操作に基づいて１つのディスプレイの通知情報を変更した場合であっても、優先度が高い通知情報を他のディスプレイに表示させることができる。そのため、変形例に係る表示処理装置１は優先度が高い通知情報をドライバーに認識させることができる。
【００７２】
なお、変形例に係る表示処理装置１は、ドライバーの操作に基づいた１つのディスプレイに表示する通知情報の変更により、他のディスプレイに表示する通知情報を変更するモードと、ドライバーの操作に基づいた１つのディスプレイに表示する通知情報の変更に対して、他のディスプレイに表示する通知情報を変更しないモードとを切り替え可能としてもよい。他のディスプレイの通知情報を変更しないモードでは、例えば、新たな通知情報を取得した場合に、優先度に基づいて他のディスプレイ毎に調停が行われ、通知情報が表示される。
【００７３】
さらなる効果や変形例は、当業者によって容易に導き出すことができる。このため、本発明のより広範な態様は、以上のように表しかつ記述した特定の詳細および代表的な実施形態に限定されるものではない。従って、添付の特許請求の範囲およびその均等物によって定義される総括的な発明の概念の精神または範囲から逸脱することなく、様々な変更が可能である。
【符号の説明】
【００７４】
１      表示処理装置
５      制御部
１０    取得部
１１    判定部
１２    設定部
１３    変更部
３０    車載器
１００  センターディスプレイ
１０１  ヘッドアップディスプレイ
１０２  メータディスプレイ
【図１】
2019139518.tif 000003
【図２】
2019139518.tif 000004
【図３Ａ】
2019139518.tif 000005
【図３Ｂ】
2019139518.tif 000006
【図４】
2019139518.tif 000007
【図５Ａ】
2019139518.tif 000008
【図５Ｂ】
2019139518.tif 000009
【図６Ａ】
2019139518.tif 000010
【図６Ｂ】
2019139518.tif 000011